(57)【要約】【課題】ガスメータとアダプタとの配線の接続をより容易に行うことが可能であり、且つ接続した配線からの雨水等の侵入を防止する構造を有するガスメータを提供する。【解決手段】アダプタと通信を行うための通信端子を備えたガスメータであって、通信端子は端子収容部に配置されており、端子収容部には通信端子を囲むように設けられた端子密閉部が形成されている。端子収容部には着脱可能な端子カバーが設けられ、端子密閉部と端子カバーとで端子密閉部に対応する形状に形成された第１密閉部材を挟み込む構造を有している。アダプタを接続する場合、配線の一方の端を通信端子に接続し、配線を端子密閉部と端子カバーとの間から外部に導出して配線の他方の端をアダプタに接続する。端子密閉部の所定位置には第２密閉部材を備えた配線密閉部が形成されており、配線１Ｚを第１密閉部材１４と第２密閉部材６０とで挟み込んで径方向に囲む。【選択図】        図４
2006003305.tif 000002
【特許請求の範囲】
【請求項１】
所定の機能を追加可能なアダプタを外部に接続可能であるとともに、当該アダプタと通信を行うための通信端子を備えたガスメータであって、
通信端子はガスメータに設けられた端子収容部に配置されており、端子収容部には通信端子を囲むように設けられた端子密閉部が形成されており、
端子収容部には着脱可能な端子カバーが設けられ、端子密閉部と端子カバーとで端子密閉部に対応する形状に形成された第１密閉部材を挟み込む構造を有し、
アダプタを接続する場合、配線の一方の端を通信端子に接続し、当該配線を端子密閉部と端子カバーとの間から外部に導出して当該配線の他方の端をアダプタに接続し、
端子密閉部の所定位置には配線密閉部が形成されており、配線密閉部には配線の径方向の長さよりも長い第２密閉部材を備え、配線を第１密閉部材と第２密閉部材とで挟み込んで径方向に囲むことが可能に構成されている、
ことを特徴とするガスメータ。
【請求項２】
請求項１に記載のガスメータであって、
配線密閉部の一部には、配線の位置を固定する配線位置決め部が設けられている、
ことを特徴とするガスメータ。
【発明の詳細な説明】
【技術分野】
【０００１】
本発明は、所定の機能を追加可能なアダプタを外部に接続可能なガスメータの構造に関する。
【背景技術】
【０００２】
従来より、ガス流量を積算して積算値を表示するのみでなく、アダプタを接続して所定の機能（種々の条件毎の積算値等）を追加可能なガスメータが提案されている（例えば、特許文献１参照）。
【特許文献１】特開２００１−１１６６０６号公報
【発明の開示】
【発明が解決しようとする課題】
【０００３】
所定の機能を追加可能なアダプタを接続する場合、ガスメータ本体とアダプタを配線にて接続する必要がある。この場合、ガスメータ本体から配線を引き出すための貫通孔等がガスメータ本体に必要であり、この貫通孔の位置及び構造によっては、風雨にさらされるガスメータ本体の内部に雨水等が浸入する可能性がある。
本発明は、このような点に鑑みて創案されたものであり、ガスメータとアダプタとの配線の接続をより容易に行うことが可能であり、且つ接続した配線からの雨水等の侵入を防止する構造を有するガスメータを提供することを課題とする。
【課題を解決するための手段】
【０００４】
上記課題を解決するための手段として、本発明の第１発明は、請求項１に記載されたとおりのガスメータである。
請求項１に記載のガスメータは、所定の機能を追加可能なアダプタを外部に接続可能であるとともに、当該アダプタと通信を行うための通信端子を備えたガスメータであって、通信端子はガスメータに設けられた端子収容部に配置されており、端子収容部には通信端子を囲むように設けられた端子密閉部が形成されている。
端子収容部には着脱可能な端子カバーが設けられ、端子密閉部と端子カバーとで端子密閉部に対応する形状に形成された第１密閉部材を挟み込む構造を有している。
そして、アダプタを接続する場合、配線の一方の端を通信端子に接続し、当該配線を端子密閉部と端子カバーとの間から外部に導出して当該配線の他方の端をアダプタに接続し、端子密閉部の所定位置には配線密閉部が形成されており、配線密閉部には配線の径方向の長さよりも長い第２密閉部材を備え、配線を第１密閉部材と第２密閉部材とで挟み込んで径方向に囲むことが可能に構成されている。
【０００５】
また、本発明の第２発明は、請求項２に記載されたとおりのガスメータである。
請求項２に記載のガスメータは、請求項１に記載のガスメータであって、配線密閉部の一部には、配線の位置を固定する配線位置決め部が設けられている。
【発明の効果】
【０００６】
請求項１に記載のガスメータを用いれば、ガスメータの端子収容部に配置した通信端子とアダプタとの配線の接続をより容易に行うことが可能である。
また、第１密閉部材と第２密閉部材にて配線の径方向を密閉することで、接続した配線を伝って雨水等が侵入することを適切に防止することができる。
【０００７】
また、請求項２に記載のガスメータによれば、接続した配線からの雨水等の侵入を防止することができる位置に、配線を確実に位置決めすることができる。
【発明を実施するための最良の形態】
【０００８】
以下に本発明を実施するための最良の形態を図面を用いて説明する。図１は、本発明のガスメータ１に所定の機能（種々の条件毎（料金毎）の積算値の計算等）を追加可能なアダプタ５０を接続した状態における、一実施の形態の概略外観図を示している。
●［ガスメータ及びアダプタの外観（図１、図２）］
図１及び図２を用いて、本実施の形態におけるアダプタ５０、及びガスメータ１の外観の例を説明する。図１（Ａ）は正面図を示しており、図１（Ｂ）は側面図を示しており、図２は斜視図を示している。なお、各図のＸ軸、Ｙ軸、Ｚ軸は、Ｘ軸及びＹ軸が水平方向を示す軸であり、Ｚ軸が垂直方向を示す軸である。
ガスメータ１の上部には、ガスの供給元（ガス会社等）から供給されるガスが流入する流入口１ａと、ガスを使用する設備等にガスを供給する供給口１ｂを備えている。また、ガスメータ１の内部には、ガスの流量を計測する計測手段を備えており（図示せず）、流入口１ａから流入して供給口１ｂから供給されるガスの流量を計測する。
【０００９】
ガスメータ１の正面には表示手段１ｃが設けられており、ガスの積算値等を表示させることが可能である。また、ガスメータ１には異常検出時にガスの供給を遮断するための遮断弁（図示せず）が設けられており、異常を検出してガスを遮断している状態から復帰するための復帰操作部１ｄが設けられている。
また、端子カバー１ｅを取り外すと、例えば検査等を行うための通信装置を接続可能な通信端子４１、４２（図３参照）、及びガスメータ１に所定の機能を追加可能な制御回路（アダプタ５０に収容）を接続可能な通信端子２０が現れる（図３参照）。通信端子４１または４２に通信回線及び通信装置を接続すれば、ガスメータ１と通信装置との間で通信を行うことが可能になる。
また、通信端子２０に配線及び制御回路を備えたアダプタ５０を接続すれば、ガスメータ１に種々の機能を追加することが可能である。例えば種々の機能には、通信装置と無線通信を行う機能であったり、決められた日時から一定時間毎のガス使用量を記憶する機能等がある。なお、上記の制御回路は、ガスメータ１の底部に取り付けられたアダプタ５０に収容される。
【００１０】
●［端子収容部の構造（図３、図４、図５、図６）］
図３は端子カバー１ｅを取り外した状態のガスメータ１の斜視図を示しており、図４は端子カバー１ｅを取り外した状態の端子収容部１１ｆ及び端子カバー１ｅ（内側）の斜視図を示しており、図５は端子カバー１ｅにおけるガスメータ１と当接する側（内側）の構造を示しており、図６は端子収容部１１ｆ、収容部パッキン１４（ラバー等で形成された第１密閉部材）、配線パッキン６０（ラバー等で形成された第２密閉部材）の正面図を示している。なお、端子カバー１ｅは、図２に示す取り付け部材１３（ネジ等）にてガスメータ１から容易に着脱可能に構成されている。
端子カバー１ｅを取り外すと端子収容部１１ｆが現れ、端子収容部１１ｆには通信端子２０（例えばアダプタ５０との接続用）、通信端子４１、４２（例えば検査等に用いる通信装置との接続用）等が配置されている（図３〜図６を参照）。
【００１１】
また端子収容部１１ｆには、通信端子２０、４１、４２を囲むように設けられた端子密閉部１１ｎ（図３（Ａ）、図４及び図６（Ａ）の斜線を施した部分）が形成されている。本実施の形態では、端子密閉部１１ｎは同一平面上に形成されており、端子収容部１１ｆの周囲を切れ目無く周回するように形成されている。
そして図４に示すように、端子カバー１ｅをガスメータ１に取り付ける際、端子密閉部１１ｎに対応する形状に形成した収容部パッキン１４（図６（Ｂ）参照）を、端子密閉部１１ｎと端子カバー１ｅにて挟み込んで密閉することで防水する。もちろん、収容部パッキン１４に接触する端子カバー１ｅ側の面も端子密閉部１１ｎの形状に基づいた形状に形成してある。
収容部パッキン１４は、防水に用いるため、図６（Ｂ）に示すように、切れ目無く周回する形状（環状）に形成されている。また、本実施の形態では収容部パッキン１４の厚さｔ２（図４参照）は約３［ｍｍ］のものを用いた。また、本実施の形態にて使用した配線１Ｚの径は約４［ｍｍ］のものを用い、配線パッキン６０の厚さｔ１（図３（Ｂ）参照）は約５［ｍｍ］のものを用いた。
【００１２】
ガスメータ１にアダプタ５０を接続する場合、配線１Ｚの一方の端をアダプタ５０に接続して、配線１Ｚの他方の端を、端子カバー１ｅを取り外した状態のガスメータ１の通信端子２０に接続する（図４参照）。その後、収容部パッキン１４及び端子カバー１ｅを取り付けるので、配線１Ｚは端子収容部１１ｆの端子密閉部１１ｎと収容部パッキン１４（及び端子カバー１ｅ）とで挟まれた状態にてガスメータ１の外部に導出され、アダプタ５０に接続されることになる。
また、端子密閉部１１ｎの所定位置（通信端子２０に接続された配線１Ｚがガスメータ１の外部に導出される位置）には配線密閉部１１ｇが形成されている。
配線密閉部１１ｇには配線パッキン６０を収容する凹部１１ｈが形成されており（図３（Ｂ）参照）、当該凹部１１ｈに配線パッキン６０を配置（固定）する。配線パッキン６０の所定方向の長さＬ４（図６（Ｃ）参照）は、配線１Ｚの径方向の長さＬ１（図７（Ｃ）参照）よりも長く形成してある。これにより、配線１Ｚを収容部パッキン１４と配線パッキン６０とで挟み込んだ場合、配線１Ｚの径方向を収容部パッキン１４と配線パッキン６０とで隙間無く囲む（密閉する）ことが可能になり（図７（Ｃ）参照）、外部から配線１Ｚを伝って来る雨水等の浸入を防止することができる。
【００１３】
また、収容部パッキン１４における、端子密閉部１１ｎの配線密閉部１１ｇに対向する位置は、配線密閉部１１ｇを覆うことが可能な形状及びサイズに形成されている（図４及び図６（Ｂ）の対向部分１１ｍを参照）。
なお、配線密閉部１１ｇの一部には、配線１Ｚの位置を固定する配線位置決め部１１ｋ（配線１Ｚを配置する凹部）が形成されている。本実施の形態では、３本の配線１Ｚを所定の位置に固定する配線位置決め部１１ｋが、配線パッキン６０を収容する凹部１１ｈの上下に３個所ずつ形成してある（図３（Ｂ）参照）。
配線１Ｚを収容部パッキン１４と配線パッキン６０とで挟み込んで径方向に密閉するためには、配線１Ｚが配線パッキン６０の位置に配置される必要がある。また、配線１Ｚが複数の場合は、各配線１Ｚの間隔Ｌ２（図７（Ｃ）参照）を適切に設定し、収容部パッキン１４と配線パッキン６０とで配線１Ｚの周囲を囲む必要がある。配線１Ｚを適切な位置に配置することができれば配線位置決め部１１ｋは特に必要ないが、配線位置決め部１１ｋを予め形成しておけば、配線１Ｚを適切な位置に容易に配置することが可能になり、より好ましい。
【００１４】
また、図５に示すように、端子カバー１ｅの内側には、収容部パッキン１４を保持可能とする高さｈ２の縁部が外周に沿って形成されている。また、配線密閉部１１ｇに設けられた配線位置決め部１１ｋに対向する位置には、カバー側配線位置決め部１１ｑ（配線１Ｚを配置する凹部）が形成されている。これにより、配線１Ｚをより適切に位置決めすることができる（図７（Ｂ）及び（Ｄ）参照）。なお、カバー側配線位置決め部１１ｑの高さｈ１は、縁部の高さｈ２よりも低く形成されており、図７（Ｄ）に示すように、端子カバー１ｅを組み付けた場合、配線位置決め部１１ｋの周囲とカバー側配線位置決め部１１ｑの周囲とが当接しないように構成してあり、配線１Ｚを収容部パッキン１４と配線パッキン６０とで確実に圧接して密閉できるようにしている。
なお、図３（Ｂ）に示すように、配線位置決め部１１ｋの縁に、カバー側配線位置決め部１１ｑと干渉しない位置に、配線１Ｚを挟み込んで固定可能な配線固定部１１ｋｓを設けると、より好ましい。配線固定部１１ｋｓの間隙は配線１Ｚの径と同程度に設定されているとともに、配線固定部１１ｋｓの高さｔ３は配線パッキン６０の厚さｔ１よりも高く設定されている。これにより、配線固定部１１ｋｓにて、より確実に配線１Ｚを配線位置決め部１１ｋに固定することができる。
【００１５】
●［配線を挟み込んだ状態（図７）、及び従来の配線導出部の構造（図８）］
次に図７（Ａ）〜（Ｄ）を用いて、配線１Ｚの一方の端をアダプタ５０に接続して、配線１Ｚの他方の端を通信端子２０に接続し、配線パッキン６０及び収容部パッキン１４にて、当該配線１Ｚの径方向を囲んで密閉している様子を説明する。
図７（Ａ）は、配線１Ｚを通信端子２０からガスメータ１の外部に導出している部分において、ガスメータ１の左側から見た断面図を示している。また図７（Ｂ）は図７（Ａ）におけるＢＢ断面を示しており、図７（Ｃ）は図７（Ａ）におけるＣＣ断面を示しており、図７（Ｄ）は図７（Ａ）におけるＤＤ断面を示している。
図７（Ｂ）に示すように図７（Ａ）に示すＢＢ断面の部分では、配線１Ｚと配線位置決め部１１ｋとの間には密閉部材が介在しないため、隙間Ａ２ができてしまう。このため、雨水等がこの隙間Ａ２からガスメータ１の内部に侵入しようとするが、図７（Ｃ）に示すように図７（Ａ）に示すＣＣ断面の部分では、配線１Ｚを収容部パッキン１４と配線パッキン６０とで挟み込んで径方向に密閉しているため、雨水等はこれ以上ガスメータ１の内部に侵入することができない。
【００１６】
ここで、図８に配線導出部のその他の構造の例を示す。図８に示す例では、密閉性を持たせるためのゴムブッシュ１２０に配線１Ｚを通して、ガスメータ１００に形成した溝にゴムブッシュ１２０をはめ込み、収容部パッキンを備えたカバー１１０で押さえる。なお、ゴムブッシュ１２０の内部は薄膜１２２が形成してあり、配線１Ｚにて当該薄膜１２２を貫通させて取り付ける。しかし、この図８に示す構造では、取り付けにやや手間がかかり、作業性があまりよくないことに加えて、ゴムブッシュ１２０を紛失してしまう可能性もあり、あまり好ましくない。
図３〜図７に示した本実施の形態に示す構造では作業性もよく、更に収容部パッキン１４及び配線パッキン６０を接着等して固定することで、各パッキンを紛失してしまうこともない。
【００１７】
本発明のガスメータ１及びその構成部品等は、本実施の形態で説明した構成、構造、外観、形状、材質等に限定されず、本発明の要旨を変更しない範囲で種々の変更、追加、削除が可能である。
また、本実施の形態の説明に用いた数値は一例であり、この数値に限定されるものではない。
【産業上の利用可能性】
【００１８】
本発明のガスメータ１は、業務用ガスメータ及び一般家庭用ガスメータの他にも、種々の流体の流量を計測する流量計測装置に適用することができる。
【図面の簡単な説明】
【００１９】
【図１】本発明のガスメータ１に所定の機能を追加可能なアダプタ５０を接続した状態における、一実施の形態の概略外観図（正面図、側面図）である。
【図２】本発明のガスメータ１に所定の機能を追加可能なアダプタ５０を接続した状態における、一実施の形態の概略外観図（斜視図）である。
【図３】端子カバー１ｅを取り外した状態のガスメータ１の斜視図である。
【図４】端子カバー１ｅを取り外した状態の端子収容部１１ｆ及び端子カバー１ｅの斜視図である。
【図５】端子カバー１ｅの内側の構造を説明する図である。
【図６】端子収容部１１ｆ、収容部パッキン１４（第１密閉部材）、配線パッキン６０（第２密閉部材）の正面図である。
【図７】配線パッキン６０及び収容部パッキン１４にて、配線１Ｚの径方向を囲んで密閉している様子を説明する図である。
【図８】配線導出部のその他の構造の例を説明する図である。
【符号の説明】
【００２０】
１        ガスメータ
１ａ      供給元流入口
１ｂ      設備流出口
１ｅ      端子カバー
１１ｆ    端子収容部
１１ｇ    配線密閉部
１１ｎ    端子密閉部
１１ｋ    配線位置決め部
１１ｋｓ  配線固定部
１１ｑ    カバー側配線位置決め部
１４      収容部パッキン（第１密閉部材）
６０      配線パッキン（第２密閉部材）
２０、４１、４２    通信端子
５０      アダプタ
【図３】
2006003305.tif 000003
【図５】
2006003305.tif 000004
【図６】
2006003305.tif 000005
【図７】
2006003305.tif 000006
【図８】
2006003305.tif 000007
【図１】
2006003305.tif 000008
【図２】
2006003305.tif 000009
【図４】
2006003305.tif 000010